(57)【特許請求の範囲】
【請求項１】
全レースの発売開始までの間、投票用端末は、ホストへ発売状況を定期的に照会し、前記照会に呼応して前記ホストから配信される最新の発売状況を画面表示し、
前記ホストから全レースの発売開始の通知を受信した投票用端末は、定期的な発売状況の照会を停止し、レースの発売中の画面表示をし、
前記ホストから全レースの発売開始の通知を受信できない投票用端末は、前記ホストから全レースの発売開始の通知を受信するまで、前記ホストへ発売状況を定期的に照会し続け、
前記投票用端末がレースの発売中の画面表示をしているとき、ファンが前記投票用端末により申し込んだ投票内容がレースの発売状況に適合していないために投票できない投票エラーの場合、前記ホストが前記投票エラーを当該投票用端末に通知し、当該投票用端末は、前記投票エラーを画面表示すると共に、前記ホストに、最新の発売状況及び出走表を照会し、前記ホストから提供される最新の発売状況及び出走表を画面表示することを特徴とする発売状況照会方法。
【請求項２】
当該投票用端末は、前記ホストに、最新の発売状況及び出走表を照会し、前記ホストから提供される最新の発売状況及び出走表を受信できない場合、前記ホストから提供される最新の発売状況及び出走表を受信できるまで、前記ホストへ最新の発売状況及び出走表を定期的に照会し続けることを特徴とする請求項１に記載の発売状況照会方法。
【請求項３】
当日開催されるレースを運用管理するホストと、ファンが投票を行う投票用端末と、が相互に通信可能に接続されたシステムであって、
前記ホストは、全レースの発売状況及び出走表を管理すると共に、管理している全レースの発売状況及び出走表を前記投票用端末に配信し、
前記投票用端末は、
全レース発売開始までの間、前記ホストへ発売状況を定期的に照会し、前記照会に呼応して前記ホストから配信される最新の発売状況を画面表示し、
前記ホストから全レースの発売開始の通知を受信すると、定期的な発売状況の照会を停止し、レースの発売中の画面表示をし、
前記ホストから全レースの発売開始の通知を受信できないと、前記ホストから全レースの発売開始の通知を受信できるまで、前記ホストへ発売状況を定期的に照会し続け、
前記投票用端末がレースの発売中の画面表示をしているときに、ファンが前記投票用端末から申し込んだ投票内容がレースの発売状況に適合していないために投票できない投票エラーの場合、前記投票用端末は、前記投票エラーを画面表示すると共に、前記ホストに、最新の発売状況及び出走表を照会し、前記ホストから配信される最新の発売状況及び出走表を画面表示することを特徴とするトータリゼータシステム。
【請求項４】
前記投票用端末は、前記ホストに、最新の発売状況及び出走表を照会し、前記ホストから提供される最新の発売状況及び出走表を受信できない場合、前記ホストから提供される最新の発売状況及び出走表を受信できるまで、前記ホストへ最新の発売状況及び出走表を定期的に照会し続けることを特徴とする請求項３に記載のトータリゼータシステム。
【請求項５】
ファンが投票内容を選択して投票の申し込みを行うトータリゼータシステムにおける投票用端末であって、
全レース発売開始までの間、ホストへ発売状況を定期的に照会し、前記照会に呼応して前記ホストからに配信される最新の発売状況を画面表示し、
前記ホストから全レースの発売開始の通知を受信すると、定期的な発売状況の照会を停止し、レースの発売中の画面表示をし、
前記ホストから全レースの発売開始の通知を受信できないと、前記ホストから全レースの発売開始の通知を受信できるまで、前記ホストへ発売状況を定期的に照会し続け、
レースの発売中の画面表示をしているときに、ファンが申し込んだ投票内容がレースの発売状況に適合していないために投票できない投票エラーの場合、前記投票エラーを画面表示すると共に、前記ホストに、最新の発売状況及び出走表を照会し、前記ホストから提供される最新の発売状況及び出走表を画面表示することを特徴とする投票用端末。
【請求項６】
前記ホストに、最新の発売状況及び出走表を照会し、前記ホストから提供される最新の発売状況及び出走表を受信できない場合、前記ホストから提供される最新の発売状況及び出走表を受信できるまで、前記ホストへ最新の発売状況及び出走表を定期的に照会し続けることを特徴とする請求項５に記載の投票用端末。
【発明の詳細な説明】
【技術分野】
【０００１】
本発明は、発売状況照会方法、トータリゼータシステム及び投票用端末に関する。
【背景技術】
【０００２】
競馬、競輪、競艇、及びオートレース等の公営競技にファンが投票し、投票結果が的中した場合にファンが配当金を受け取るトータリゼータシステムにおいて、レースを運用管理するホストコンピュータ（以下、「ホスト」という。）が投票用端末に当日開催されるレースの投票券についての発売状況を一斉同報によって複数回配信している。ここで、「発売状況」とは、当日、開催場に設定された投票用端末から投票券を購入できる状況をいい、例えば、「停止中」、「Ａ場全レース（１〜１２レース）発売中」、「Ａ場１レース発売締切」等をいうものとする。
【０００３】
トータリゼータシステムに関して、下記特許文献１には、投票内容の集計結果に誤差を含むことが低減して、速やかな投票内容の受付と投票内容の集計を可能とするため、故障端末は、再発券情報を出力し、正常端末に再発券情報が入力されると、故障端末が投票要求をした投票券の投票内容とが一致する場合、投票券の再発券を正常端末に許可することが提案されている。又、下記特許文献２には、時々刻々に変化するオッズ（予想配当率）の最新情報を参考にしながら投票券の購入を行うことができ、入力誤りを極力少なくでき、かつ効率よく在宅投票できるようにする在宅投票端末が提案されている。
【先行技術文献】
【特許文献】
【０００４】
【特許文献１】特開２０１１−１５４６０４号公報
【特許文献２】特開平８−１９４７５３号公報
【発明の概要】
【発明が解決しようとする課題】
【０００５】
特許文献１及び２には、ファンに投票に役立つ情報を提供するサービスが提案されている。特許文献１及び２で提案されているサービスは、ホストから提供される情報を投票用端末が受信できることを前提としている。
【０００６】
しかしながら、現行のトータリゼータシステムにおいて、複数の投票用端末の一部の投票用端末において、偶発的なノイズ等の影響により、ホストから配信される発売状況を受信できないことがある。現行のトータリゼータシステムでは、ホストが投票用端末に発売状況を一斉同報によって複数回配信しているので、発売状況が受信できなかった投票用端末の表示内容が実際に進行している発売状況と異なってしまう。例えば、全レース発売開始時に、ホストから一斉同報により配信された発売状況を受信できなかった投票用端末の画面表示は「停止中」のままであり、実際には全レースの発売中であるのに、ファンは投票することができず、投票の機会を奪われる。
【０００７】
そこで、本発明は、複数回配信された発売状況や出走表の情報を受信できない投票用端末の台数を漸次減少させることにより、投票をする機会を奪われるファンを低減することを可能とする発売状況照会方法、トータリゼータシステム及び投票用端末を提供することを目的とする。
【課題を解決するための手段】
【０００８】
本発明の第１の側面における発売状況照会方法は、全レースの発売開始までの間、投票用端末は、ホストへ発売状況を定期的に照会し、前記照会に呼応して前記ホストから配信される最新の発売状況を画面表示し、前記ホストから全レースの発売開始の通知を受信した投票用端末は、定期的な発売状況の照会を停止し、レースの発売中の画面表示をし、前記ホストから全レースの発売開始の通知を受信できない投票用端末は、前記ホストから全レースの発売開始の通知を受信するまで、前記ホストへ発売状況を定期的に照会し続け、前記投票用端末がレースの発売中の画面表示をしているとき、ファンが前記投票用端末により申し込んだ投票内容がレースの発売状況に適合していないために投票できない投票エラーの場合、前記ホストが前記投票エラーを当該投票用端末に通知し、当該投票用端末は、前記投票エラーを画面表示すると共に、前記ホストに、最新の発売状況／出走表を照会し、前記ホストから提供される最新の発売状況／出走表を画面表示することを特徴とする。
【０００９】
第２の側面におけるトータリゼータシステムは、当日開催されるレースを運用管理するホストと、ファンが投票を行う投票用端末と、が相互に通信可能に接続されたシステムであって、前記ホストは、全レースの発売状況及び出走表を管理すると共に、保守、管理している全レースの発売状況及び出走表を前記投票用端末に配信し、前記投票用端末は、全レース発売開始までの間、前記ホストへ発売状況を定期的に照会し、前記照会に呼応して前記ホストから配信される最新の発売状況を画面表示し、前記ホストから全レースの発売開始の通知を受信すると、定期的な発売状況の照会を停止し、レースの発売中の画面表示をし、前記ホストから全レースの発売開始の通知を受信できないと、前記ホストから全レースの発売開始の通知を受信できるまで、前記ホストへ発売状況を定期的に照会し続け、前記投票用端末がレースの発売中の画面表示をしているときに、ファンが前記投票用端末から申し込んだ投票内容がレースの発売状況に適合していないために投票できない投票エラーの場合、前記投票用端末は、前記投票エラーを画面表示すると共に、前記ホストに、最新の発売状況／出走表を照会し、前記ホストから配信される最新の発売状況／出走表を画面表示することを特徴とする。
【００１０】
第３の側面における投票用端末は、ファンが投票内容を選択して投票の申し込みを行うトータリゼータシステムにおける投票用端末であって、全レース発売開始までの間、ホストへ発売状況を定期的に照会し、前記照会に呼応して前記ホストからに配信される最新の発売状況を画面表示し、前記ホストから全レースの発売開始の通知を受信すると、定期的な発売状況の照会を停止し、レースの発売中の画面表示をし、前記ホストから全レースの発売開始の通知を受信できないと、前記ホストから全レースの発売開始の通知を受信できるまで、前記ホストへ発売状況を定期的に照会し続け、レースの発売中の画面表示をしているときに、ファンが申し込んだ投票内容がレースの発売状況に適合していないために投票できない投票エラーの場合、前記投票エラーを画面表示すると共に、前記ホストに、最新の発売状況／出走表を照会し、前記ホストから提供される最新の発売状況／出走表を画面表示することを特徴とする。
【発明の効果】
【００１１】
本発明の発売状況照会方法は、全レースの発売開始までの間、投票用端末は、ホストへ発売状況を定期的に照会し、照会に呼応してホストから配信される最新の発売状況を画面表示し、ホストから全レースの発売開始の通知を受信した投票用端末は、定期的な発売状況の照会を停止し、レースの発売中の画面表示をし、ホストから全レースの発売開始の通知を受信できない端末は、ホストから全レースの発売開始の通知を受信するまで、ホストへ発売状況を定期的に照会し続ける。これにより、投票をする機会を奪われるファン人数を低減することが可能な発売状況照会方法、トータリゼータシステム及び投票用端末を提供することができる。
【図面の簡単な説明】
【００１２】
【図１】本発明の実施形態のトータリゼータシステム全体の構成例を示す図である。
【図２】図１中の投票用端末の概略を示す機能ブロック図である。
【図３】投票カードの一例を示す図である。
【図４】投票用端末における発売状況等の画面表示例を示す図（その１）である。
【図５】投票用端末における発売状況等の画面表示例を示す図（その２）である。
【図６】現行システムの発売状況通知の動作と課題を説明する図ある。
【図７】本発明の実施形態における発売状況照会方法を説明するシーケンスチャート（その１）である。
【図８】本発明の実施形態における発売状況照会方法を説明するシーケンスチャート（その２）である。
【発明を実施するための形態】
【００１３】
以下に本発明の実施形態について図面を参照しながら詳細に説明する。
（実施形態の構成）
図１は、本発明の実施形態のトータリゼータシステム全体の構成例を示す図である。
【００１４】
本発明のトータリゼータシステムは、例えば、図１に示したように、当日開催されるレースを運用管理するホスト１０が設けられている。ホスト１０は、システム全体を制御する制御部１１と、ファンが投票に用いる投票用端末２０（＝２０−１，２０−２，・・・）と通信回線３０を介して制御部１１と相互に情報の送受信を行うための通信インタフェース（以下、「通信Ｉ／Ｆ」という。）１２と、により構成されている。
【００１５】
投票用端末２０は、起動されると、ホスト１０に対し発売状況照会を行い、ホスト１０から個別に通知される発売状況を受信し、受信した発売状況を画面表示する機能を有している。レース発売開始前は、ホスト１０内の処理負荷が軽いため、各投票用端末２０からの発売状況照会に対し、ホスト１０から個別にその都度の発売状況が各投票用端末２０へ通知される。しかし、レース発売開始後は、実際の接客サービスが開始され、ホスト１０内の処理負荷が重くなるため、ホスト１０から発売中の発売状況通知を受信した以降は、投票用端末２０からホスト１０への発売状況照会は行わない。
【００１６】
更に、図示しない投票カード挿入口から、ファンが希望する開催場、レース番号、賭式等にチェックを入れた投票カードが挿入されると、投票用端末２０は、ホスト１０に対して投票の申し込みを行う。ホスト１０は、実際の発売状況を把握するように構成されており、投票用端末２０からの投票の申し込みが正常な場合は、投票を実行する。一方、投票用端末２０からの投票の申し込みが異常な場合、例えば、１レースの発売締切後に、１レースの投票の申し込みがされた場合には、ホスト１０は、投票エラーの判定をし、投票用端末２０に対して１レース投票判定不可の通知を返信する。
【００１７】
図２は、図１中の投票用端末の概略を示す機能ブロック図であり、図３は、投票カードの一例を示す図である。
【００１８】
投票用端末２０は、ファンが開催場、レース番号、賭式、着順等を指定して投票券を購入する端末である。
【００１９】
投票用端末２０は、端末全体を制御する制御ユニット２１と、図示しない投票券を読み取る投票券読取ユニット２２と、例えば、図３に示された投票カード５０を読み取る投票カード読取ユニット２３と、投票券を発券する発券ユニット２４と、投入された紙幣を入金すると共に釣り札を出金する紙幣ユニット２５と、投入された硬貨を入金すると共につり銭を出金する硬貨ユニット２６と、各種のガイダンス等を表示する表示ユニット２７と、を有している。制御ユニット２１は、中央演算装置（ＣＰＵ）２１ａと、メモリ２１ｂと、により構成されている。
【００２０】
図３に一例を示した投票カードは、ファンが開催場、レース番号、賭式、着順等を指定して投票券を購入する際に、開催場マークエリア５１、レース番号マークエリア５２、賭式マークエリア５３、ながし投票マークエリア５４等のマークエリア内の希望する白抜きの部分を鉛筆で黒色に塗りつぶしてマークし、図示しない投票カード挿入口を介して図２の投票カード読取ユニット２３へ投入するカードである。
【００２１】
図４及び図５は、投票用端末における発売状況等の画面表示例を示す図であり、図４（ａ）は、全レース発売開始前の画面表示例であり、図４（ｂ）は、全レース発売開始後の画面表示例であり、図５（ａ）は、Ａ場１レース発売締切の画面表示例であり、図５（ｂ）は、投票エラー発生時の画面表示例である。
【００２２】
図４（ａ）に示した全レース発売開始前の画面表示例には、「停止中」という発売状況が表示されている。図４（ｂ）に示した全レース発売開始後の画面表示例には、Ａ場、Ｂ場、Ｃ場について、１レースから１２レースまで発売中という発売状況と、出走取消の情報が表示されている。
【００２３】
図５（ａ）に示した１レース発売締切の画面表示例には、Ａ場のみ１レースの発売が締め切られた発売状況と、Ｂ場３レースについて６番、８番が出走取消した旨の出走情報が表示されている。
【００２４】
更に、図５（ｂ）に示した投票エラー発生時の画面表示例には、「レースを選んでください」というガイダンスと、投票の申し込みを行った投票内容と、レース場選択ボタン、数字入力キー、及びカード返却キーが表示されている。
【００２５】
例えば、実際の発売状況がＡ場にて、１レースの発売締切であるのに、ホストからの発売状況の通知が受信できない投票用端末の画面表示では、図４（ｂ）のままである。図４（ｂ）の画面表示の投票用端末から、Ａ場の１レースについて投票の申し込みを行うと、投票用端末の画面は、図５（ｂ）の画面表示に移行する。
【００２６】
（実施形態の動作）
本発明の実施形態の動作について、（Ｉ）現行システムの発売状況通知の課題と、（II）本発明の実施形態の発売状況照会及び投票の動作と、に分けて説明する。
【００２７】
（Ｉ）現行システムの発売状況通知の課題
先ず、図１〜図５を参照しつつ、図６の流れに沿って、現行システムの発売状況通知の動作とその課題について説明する。尚、図６において、上から下へ時間が経過するものとする。更に、投票用端末２０が受信できた通知は実線の矢印で示し、投票用端末２０が未受信の通知は破線の矢印で示している。
【００２８】
投票用端末２０が起動されると、ステップＳ１へ進み、投票用端末２０から通信回線３０を介してホスト１０へ発売状況照会が行われ、ステップＳ２へ進む。
【００２９】
ステップＳ２において、ホスト１０から通信回線３０を介して接続された全ての投票用端末２０に対して、定期的に所定回数、例えば、３回、発売状況が一斉同報によって通知される。ステップＳ２の時点でのＡ場における進行状況は全レース発売開始前であるため、発売前の発売状況が通知され、発売前の発売状況を受信した投票用端末２０は、発売状況表示として「停止中」を表示し、ステップＳ３へ進む。
【００３０】
ステップＳ３において、Ａ場における発売状況は全レース発売開始であるため、ホスト１０から通信回線３０を介して接続された全ての投票用端末２０に対して、定期的に３回、一斉同報によって、発売中の発売状況が通知される。しかし、投票用端末２０は、ノイズ等の影響で発売中の発売状況を受信できないので、発売状況表示として「停止中」を表示し続け、ステップＳ４へ進む。ステップＳ３の時点で、全レース発売開始しているが、投票用端末２０は、発売中の発売状況を受信できないと、全レース発売開始を認識できないので、この投票用端末２０からファンが投票の申し込みを行うことができない（第１の課題）。
【００３１】
ステップＳ４において、Ａ場における発売状況は１レースの発売締切であるため、ホスト１０から通信回線３０を介して接続された全ての投票用端末２０に対して、定期的に３回、一斉同報によって、１レース発売締切の発売状況が通知され、１レース発売締切の発売状況を受信した投票用端末２０は、発売状況表示として「Ａ場  全レース（２Ｒ〜１２Ｒ）発売中」を表示し、ステップＳ５へ進む。
【００３２】
ステップＳ５において、ファンが２レースの投票の申し込みをすると、投票用端末２０から２レースの投票の申し込みの内容がホスト１０に通知され、ホスト１０は、投票が申し込まれた２レースが発売中であるため、正当な投票の申し込みであると判断し投票を実行し、ステップＳ６へ進む。ステップＳ６において、ホスト１０から投票用端末２０に対して投票判定可を通知する。投票用端末２０は、精算操作、投票券発券により接客を終了する。
【００３３】
ステップＳ７において、Ａ場における発売状況は２レースの発売締切であるため、ホスト１０から通信回線３０を介して接続された全ての投票用端末２０に対して、定期的に３回、一斉同報によって、発売中２レース発売締切の発売状況が通知される。しかし、投票用端末２０は、発売中２レース発売締切の発売状況を受信できないと、２レース発売締切を認識できない。そのため、ファンが投票用端末２０から２レースの投票の申し込みを行うと、ステップＳ８に進み、投票用端末２０から２レースの投票の申し込みの内容がホスト１０に通知されるが、実際の発売状況はＡ場２レース発売締切であるので、ホスト１０は投票エラーと判断し、ステップＳ９へ進む。ステップＳ９において、ホスト１０は、投票用端末２０に投票判定不可を通知する。投票判定不可の通知を受信した投票用端末２０は、例えば、図５（ｂ）に示されたような投票エラーの修正画面が表示される。しかし、ファンが、この修正画面からＡ場２レース発売締切の発売状況を知り得ない。そのため、ファンは、発売中の２レースの投票の申し込みを行ったのに、なぜ投票エラーとなるのか納得できず、不満が残る（第２の課題）。
【００３４】
上述した現行システムの発売状況通知の有する第１の課題及び第２の課題を解決する方法として、本明細書で提案する本発明の実施形態の発売状況照会及び投票の動作について、以降説明する。
【００３５】
（II）本発明の実施形態の発売状況照会及び投票の動作
図７は、本発明の実施形態における発売状況照会方法を説明するシーケンスチャート（その１）である。尚、図７において、上から下へ時間が経過するものとし、時刻ｔ１に、Ａ場の全レースが発売開始となっている。
【００３６】
先ず、図７の流れに沿って、第１の課題を解決する本発明の実施形態の発売状況照会及び投票の動作について説明する。
【００３７】
現行のトータリゼータシステムの発売状況の通知方法では、投票用端末２０が起動され、ステップＳ１において、投票用端末２０からホスト１０へ発売状況照会が行われると、ステップＳ２において、ホスト１０から通信回線３０を介して接続された全ての投票用端末２０に対して、定期的に所定回数、例えば、３回、発売状況が一斉同報によって通知されていた（図６参照）。
【００３８】
これに対し、本発明の実施形態の発売状況照会方法では、投票用端末２０−１（以下、「端末１」という。）及び投票用端末２０−２（以下、「端末２」という。）が起動されると、それぞれステップＳ１１及び２１へ進む。ステップＳ１１及び２１において、端末１及び端末２からホスト１０へ発売状況照会が行われると、それぞれステップＳ１２及びＳ２２へ進む。テップＳ１２及びＳ２２において、ホスト１０から端末１及び端末２それぞれへ発売前の発売状況が個別に通知され、発売前の発売状況の通知を受信した端末１及び端末２は、発売状況の表示として「停止中」を表示し、それぞれステップＳ１３及びＳ２３へ進む。
【００３９】
ステップＳ１３及び２３において、端末１及び端末２からホスト１０へ発売状況照会が行われると、それぞれステップＳ１４及びＳ２４へ進む。テップＳ１４及びＳ２４において、ホスト１０から端末１及び端末２それぞれへ発売前の発売状況が個別に通知され、発売前の発売状況の通知を受信した端末１及び端末２は、発売状況の表示として「停止中」を表示し、それぞれステップＳ１６及びＳ２６へ進む。
【００４０】
時刻ｔ１を過ぎ、Ａ場の全レースが発売開始となっているので、それぞれステップＳ１６及びＳ２６において、ホスト１０から端末１及び端末２に対して、発売中の発売状況が通知される。発売中の発売状況の通知を受信した端末１の発売状況の表示は、「停止中」から「Ａ場  全レース（１Ｒ〜１２Ｒ）発売中」に切替わっている。そして、発売中の発売状況通知を受信した端末１は、ホスト１０に対して発売状況照会を行わない。
【００４１】
一方、ステップＳ２６において、ホスト１０から端末２に対して、発売中の発売状況が通知されるが、発売中の発売状況の通知を受信できなかった端末２の発売状況の表示は、「停止中」のままであり、「Ａ場  全レース（１Ｒ〜１２Ｒ）発売中」に切替わらない。発売中の発売状況通知を受信できなかった端末２は、ステップＳ２７へ進み、端末２からホスト１０へ発売状況照会が行われ、ステップＳ２８において、ホスト１０から端末２に対して、発売中の発売状況が通知される。発売中の発売状況の通知を受信した端末２の発売状況の表示は、「停止中」から「Ａ場  全レース（１Ｒ〜１２Ｒ）発売中」に切替わる。そして、発売中の発売状況通知を受信した端末２は、ホスト１０に対して発売状況照会を行わない。
【００４２】
図７では、端末２は、ホスト１０からの発売中の発売状況を２回目で受信しているが、発売中の発売状況を受信できるまで、端末２からホスト１０に対して発売状況照会が行われ、端末２が発売中の発売状況通知を受信した以降は、端末２からホスト１０への発売状況照会は行わない。
【００４３】
以上説明したように、本発明の発売状況照会方法によれば、発売中の発売状況通知を受信できなかった端末２は、発売中の発売状況通知を受信できるまで、ホスト１０に対し定期的に発売状況照会を行い、ホスト１０は、個別に発売状況を通知する。これにより、実際には発売中であるのに、「停止中」と表示されている投票用端末２０の台数を漸減させることができ、投票の機会を奪われるファンの数を軽減することができる。
【００４４】
次に、図８の流れに沿って、第２の課題を解決する本発明の実施形態の発売状況照会及び投票の動作について説明する。
【００４５】
図８において、上から下へ時間が経過するものとし、時刻ｔ２に、Ａ場の１レースが発売締切となっている。
【００４６】
ステップＳ３２において、ホスト１０から端末１へ「Ａ場  １Ｒ発売締切  ２Ｒ〜１２Ｒ発売中」の発売状況が通知される。この発売状況通知を受信した端末１の発売状況表示は、「Ａ場  全レース（１Ｒ〜１２Ｒ）発売中」から「Ａ場  １Ｒ発売締切  ２Ｒ〜１２Ｒ発売中」へ切替わる。端末１を用いて投票の申し込みをするファンは、１レースの発売が締め切られたことが分かるので、ステップＳ３３において、例えば、２レースの投票の申し込みをホスト１０に行うと、ホスト１０において、投票が実行される。
【００４７】
一方、ステップ４２において、ホスト１０から端末２へ「Ａ場  １Ｒ発売締切  ２Ｒ〜１２Ｒ発売中」の発売状況通知が送信されるが、この発売状況通知を受信できなかった端末２の発売状況表示は、「Ａ場  全レース（１Ｒ〜１２Ｒ）発売中」のままで、「Ａ場  １Ｒ発売締切  ２Ｒ〜１２Ｒ発売中」へ切替わらない。端末２を用いて投票の申し込みをするファンは、１レースの発売が締め切られたことが分からないで、ステップＳ４３において、例えば、１レースの投票の申し込みをホスト１０に行うと、実際の発売状況は、１Ｒ発売締切であるため、ホスト１０は、投票エラーと判断し、ステップＳ４４において、ホスト１０は端末２へ「１Ｒ投票判定不可」を通知する。「１Ｒ投票判定不可」の通知を受信した端末２は、「Ａ場  投票エラー発生  最新の発売状況/出走表を照会中」を表示し、ステップＳ４５へ進む。ステップＳ４５において、端末２からホスト１０へ発売状況/出走表照会が行われ、ステップＳ４６において、ホスト１０から端末２へ最新の発売状況及び出走表が通知される。最新の発売状況及び出走表を受信した端末２は、「Ａ場  ２Ｒ〜１２Ｒ発売中」という発売状況と共に２レースの最新の出走表を表示する。
【００４８】
以上説明したように、本発明の発売状況照会方法によれば、レースの発売締切の通知を受信できなかった投票用端末２０から、発売の締切を知らずに、ファンが投票の申し込みを行った場合、投票用端末２０の表示画面に、「最新の発売状況/出走表を照会中」である旨のガイダンスを表示し、最新の発売状況/出走表を表示するので、なぜ、レース投票判定不可なのかというファンが抱く不満を軽減することができる。
【００４９】
図８に示した例では、ステップＳ４５の発売状況/出走表照会に対するステップＳ４６のホスト１０から端末２への発売状況/出走表照会応答を端末２が１回で受信しているが、端末２が発売状況/出走表照会応答を受信できず、表示画面が更新されない場合には、発売状況/出走表照会応答を受信して表示画面が更新されるまで、発売状況/出走表照会を繰り返すようにしても良い。
【００５０】
（実施形態の効果）
図７に基づいて説明した本発明の実施形態の動作によれば、ホストからの全レース発売開始の通知を受信できなかった投票用端末は、全レース発売開始の通知を受信できるまでホストに対して定期的な発売状況照会を繰り返すので、最終的には全ての投票用端末がホストからの全レース発売開始の通知を受信することになる。これにより、投票の機会を奪われるファンを減らすことを可能とする発売状況照会方法、トータリゼータシステム及び投票用端末を提供することができる。
【００５１】
又、図８基づいて説明した本発明の実施形態の動作によれば、各レース発売締切の発売状況を受信できなかった投票用端末から発売が締め切られたレースについて投票しようとして投票判定不可となった場合、投票用端末は、図８に示されているような「最新の発売状況/出走表を照会中」である旨のガイダンスを表示し、ホストに最新の発売状況/出走表を照会して、最新の発売状況/出走表を表示する。これにより、表示内容に適合した投票内容を選択したのに投票判定不可となったというファンの不満を軽減することができる。
【００５２】
（変形例）
本発明の実施形態の説明では、投票カードを用いて投票の申し込みを行う開催場等に設けられている据付タイプの投票用端末を例にして説明したが、投票用端末は据付タイプに限定されるものではなく、各ファンが携帯する携帯タイプの投票用端末にも適用可能である。
【００５３】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５４】
１０                                  ホスト
１１                                  制御部
１２                                  通信Ｉ／Ｆ
２０，２０−１，・・・，２０−５      投票用端末
２１                                  制御ユニット
２１ａ                                ＣＰＵ
２１ｂ                                メモリ
２２                                  投票券読取ユニット
２３                                  投票カード読取ユニット
２４                                  発券ユニット
２５                                  紙幣ユニット
２６                                  硬貨ユニット
２７                                  表示ユニット
３０                                  通信回線
５０                                  投票カード
５１                                  開催場マークエリア
５２                                  レース番号マークエリア
５３                                  賭式マークエリア
５４                                  ながし投票マークエリア
【図１】
0006510943.tif 000002
【図２】
0006510943.tif 000003
【図３】
0006510943.tif 000004
【図４】
0006510943.tif 000005
【図５】
0006510943.tif 000006
【図６】
0006510943.tif 000007
【図７】
0006510943.tif 000008
【図８】
0006510943.tif 000009